(57)【要約】【課題】結露防止ヒータにおける無用な電力消費を無くして、冷却貯蔵庫の消費電力を削減する。【解決手段】前面に開口する断熱箱体１８内に貯蔵室２０を構成し、断熱箱体１８の開口を、裏面周縁にそれぞれガスケット３０を有した観音開き式の第一及び第二扉２、３にて開閉自在に閉塞してなる冷却貯蔵庫Ｒにおいて、第一扉２は、非枢支側において扉２の回転軸方向に延在し、回動自在に支持されると共に、第一扉２内面に沿った初期状態からこの扉２の閉動作に伴って回動せられ、前面が両扉２、３の非枢支側に位置するガスケット３０の当接面を構成する回動状態となる仕切体７０と、この仕切体７０の前面を加熱する結露防止ヒータ８０とを有すると共に、結露防止ヒータ８０への通電を制御するリードスイッチ８２が設けられ、リードスイッチ８２は、仕切体７０が回動状態であるときに結露防止ヒータ８０に通電し、初期状態にあるときには非通電とする。【選択図】図４
2010078176.tif 000002
【特許請求の範囲】
【請求項１】
前面に開口する断熱箱体内に貯蔵室を構成し、該断熱箱体の開口を、裏面周縁にそれぞれガスケットを有した観音開き式の第一及び第二扉にて開閉自在に閉塞してなる冷却貯蔵庫において、
前記第一扉は、非枢支側において当該第一扉の回転軸方向に延在し、回動自在に支持されると共に、当該第一扉内面に沿った初期状態から該第一扉の閉動作に伴って回動せられ、前面が前記両扉の非枢支側に位置する前記ガスケットの当接面を構成する回動状態となる仕切体と、該仕切体の前面を加熱する結露防止ヒータとを有すると共に、
該結露防止ヒータへの通電を制御する制御手段が設けられ、該制御手段は、前記仕切体が前記回動状態であるときに前記結露防止ヒータに通電し、前記初期状態にあるときには非通電とすることを特徴とする冷却貯蔵庫。
【請求項２】
前記制御手段は、前記結露防止ヒータと電源間に介設されたスイッチであり、該スイッチは、前記仕切体が前記初期状態にあるときに接点が開放し、前記回動状態にあるときに接点が閉じることを特徴とする請求項１に記載の冷却貯蔵庫。
【発明の詳細な説明】
【技術分野】
【０００１】
本発明は、前面に開口する断熱箱体内に貯蔵室を構成し、この断熱箱体の開口を、裏面周縁にそれぞれガスケットを有した観音開き式の第一及び第二扉にて開閉自在に閉塞してなる冷却貯蔵庫に関するものである。
【背景技術】
【０００２】
従来よりこの種冷却貯蔵庫は、前面に開口する断熱箱体の開口を裏面周縁にそれぞれガスケットを有した観音開き式の第一及び第二扉にて開閉自在に閉塞している。また、回動自在の仕切体を例えば第一扉の非枢支側に取り付け、第一扉が閉じた状態では仕切体の前面を断熱箱体の開口縁において前方に指向させ、両扉のガスケットの当接面を形成すると共に、一方の扉を開く動作にて他方の扉を避けるように仕切体を回転させる構造が採られている。
【０００３】
係る構成によれば、仕切体は一方の扉の開放にて開口縁から除去されるため、断熱箱体の開口全体を開放させることができ、両扉を独立して開閉することが可能とされていた（例えば、特許文献１参照）。
【特許文献１】特開２００２−２１３８６３号公報
【発明の開示】
【発明が解決しようとする課題】
【０００４】
ここで、前記仕切体の前面は前述の如くガスケットの当接面となるため、通常このガスケットの磁石が吸着可能な鋼板にて構成されている。そのため、第一扉が閉じた状態では、貯蔵室内の冷気によってこの仕切体前面が冷やされ、両扉のガスケット間で外気に晒される部分に結露が発生する。そこで、従来より仕切体には結露防止ヒータが設けられ、この結露防止ヒータにて仕切体の前面を加熱することにより、外気に晒される面への結露の発生を防止していた。しかしながら、従来は結露防止ヒータを常時通電していたため、第一扉が開放されて仕切体が貯蔵室外に出ている間も結露防止ヒータが通電されることにより、無用な電力消費が発生していた。
【０００５】
本発明は、係る従来の技術的課題を解決するために成されたものであり、仕切体の結露防止ヒータにおける不必要な電力消費を解消して、消費電力の削減を図った冷却貯蔵庫を提供することを目的とする。
【課題を解決するための手段】
【０００６】
本発明の冷却貯蔵庫は、前面に開口する断熱箱体内に貯蔵室を構成し、この断熱箱体の開口を、裏面周縁にそれぞれガスケットを有した観音開き式の第一及び第二扉にて開閉自在に閉塞してなるものであって、第一扉は、非枢支側において当該第一扉の回転軸方向に延在し、回動自在に支持されると共に、当該第一扉内面に沿った初期状態からこの第一扉の閉動作に伴って回動せられ、前面が両扉の非枢支側に位置するガスケットの当接面を構成する回動状態となる仕切体と、この仕切体の前面を加熱する結露防止ヒータとを有すると共に、この結露防止ヒータへの通電を制御する制御手段が設けられ、この制御手段は、仕切体が回動状態であるときに結露防止ヒータに通電し、初期状態にあるときには非通電とすることを特徴とする。
【０００７】
請求項２の発明の冷却貯蔵庫は、上記発明において制御手段は、結露防止ヒータと電源間に介設されたスイッチであり、このスイッチは、仕切体が初期状態にあるときに接点が開放し、回動状態にあるときに接点が閉じることを特徴とする。
【発明の効果】
【０００８】
本発明によれば、前面に開口する断熱箱体内に貯蔵室を構成し、この断熱箱体の開口を、裏面周縁にそれぞれガスケットを有した観音開き式の第一及び第二扉にて開閉自在に閉塞してなる冷却貯蔵庫において、第一扉は、非枢支側において当該第一扉の回転軸方向に延在し、回動自在に支持されると共に、当該第一扉内面に沿った初期状態から第一扉の閉動作に伴って回動せられ、前面が両扉の非枢支側に位置するガスケットの当接面を構成する回動状態となる仕切体と、この仕切体の前面を加熱する結露防止ヒータとを有すると共に、この結露防止ヒータへの通電を制御する制御手段を設け、この制御手段により、仕切体が回動状態であるときに結露防止ヒータに通電し、初期状態にあるときには非通電とするようにしたので、仕切体が貯蔵室内にある回動状態であるときのみ、結露防止ヒータに通電し、第一扉の開放に伴って当該第一扉の非枢支側と共に仕切体が貯蔵室外に出る初期状態では、結露防止ヒータを非通電とすることができるので、仕切体の前面への結露を支障無く防止しながら、消費電力の削減を図ることができるようになる。
【０００９】
また、請求項２の発明によれば、上記に加えて制御手段を、結露防止ヒータと電源間に介設されたスイッチとし、このスイッチを、仕切体が初期状態にあるときに接点が開放し、回動状態にあるときに接点が閉じるようにしたので、簡単な構成で結露防止ヒータの通電を制御できるようになり、コストの削減と信頼性の向上を図ることが可能となるものである。
【発明を実施するための最良の形態】
【００１０】
以下、図面に基づき本発明の実施形態を詳述する。図１は本発明を適用した一実施例の冷却貯蔵庫Ｒの斜視図、図２は冷却貯蔵庫Ｒの平断面図をそれぞれ示している。実施例の冷却貯蔵庫Ｒは、ホテルやレストランの厨房などに設置される縦型の業務用冷蔵庫であり、前面に開口する断熱箱体１８により構成されている。この断熱箱体１８内に構成された貯蔵室２０には、調理済みの食品（料理）や食材を載置するための棚２１・・が架設されており、更に、この貯蔵室２０の前面開口２２は横方向の図示しない中仕切によって中央部にて上下に仕切られている。
【００１１】
また、貯蔵室２０内上部には冷却装置２４の図示しない冷却器が取り付けられており、この冷却器によって貯蔵室２０内は所定の温度に冷却される。更に、断熱箱体１８の天面には前面パネル２５及び両側面及び後面を構成するパネル２６によって機械室２７が画成されており、この機械室２７内には前記冷却装置２４を構成する圧縮機２８や凝縮器２９等が設置され、前記冷却器と共に冷却装置２４の周知の冷媒回路を構成している。
【００１２】
一方、前記中仕切によって仕切られた貯蔵室２０の上下の開口２２は裏面周縁にそれぞれガスケット３０を有した二組の観音開き式の扉（断熱扉）第一扉２、第二扉３によって開閉自在に閉塞されている。また、上下の開口２２の中央部にそれぞれ位置する貯蔵室２０の天面及び前記中仕切の下面には、図示しない案内部がそれぞれ取り付けられている。
【００１３】
ここで、図３及び図４を用いて、第一扉２、第二扉３について説明する。図３及び図４は第一扉２の部分拡大平断面図を示している。尚、図３では後述する仕切体７０のみ平面から見た状態で示しており、図４では仕切体７０も平断面で示している。
【００１４】
前記第一扉２及び第二扉３は、何れも外面材４と、内面材５と、発泡断熱材６と、図示しない枢支側キャップと、非枢支側キャップ８とから構成されている。また、向かって右側に位置する第一扉２の非枢支側の内面には仕切体７０が取り付けられている。この仕切体７０は、第一扉２の回転軸方向に延在し、回転自在に支持されている。
【００１５】
前記外面材４は、例えば鋼板製の板状部材により構成されている。この外面材４の非枢支側の側部には、ハンドル５０が取り付けられている。このハンドル５０は、ハンドル本体５１とハンドルカバー５２とから構成され、ハンドルベース３２により外面材４に固定される。
【００１６】
一方、前記内面材５は、例えばステンレス製の板状部材にて構成されており、外縁部には、ガスケット３０を取り付けるための取付溝６４が形成されている。この内面材５は、貯蔵室２０側に突出する突部５Ａが形成されている。また、この突部５Ａは、枢支側の側部に後述する保持部材７１の補強部７１Ａの取付位置において、該補強部７１Ａを回避する形に形成されている。
【００１７】
ここで、保持部材７１は、内方に向けて突出して形成されるものであり、係る保持部材７１の前端には、第一扉２の枢支側に延在する補強部７１Ａが形成されている。これにより、保持部材７１は、補強部７１Ａにより支持され、強固に仕切体７０を保持することができる。
【００１８】
一方、前記仕切体７０の前面には鋼板製の前面板７２が取り付けられ、この前面板７２の表面（前面）が仕切体７０の前面（前記ガスケット３０の当接面）を構成する。また、仕切体７０の上端には図示しない前記案内部材で案内されるための案内溝７３Ａ（案内部材が係合する）が形成されたキャップ７３が嵌合されている。
【００１９】
係る構成で、第一扉２を開くと案内部材と案内溝７３Ａとの係合によって仕切体７０は案内され、前面板７２が他方の第二扉３の方向に向くように時計回りに回動されて、図３及び図４において破線で示すように第一扉２の内面に沿った状態となる。この状態を初期状態と称する。これによって、仕切体７０は他方の第二扉３を避けて前方に移動可能となり、両扉２、３は独立して開閉可能となる。
【００２０】
また、第一扉２を閉じていくと、仕切体７０は前記初期状態から当該第一扉２の閉動作に伴って回動せられる。即ち、案内溝７３Ａ内に前記案内部材が進入して上記とは逆方向に案内され、反時計回りに回動されて、図３及び図４において実線で示すようにその前面板７２が開口２２において前方に指向する。これによって、両扉２、３の非枢支側に位置するガスケット３０の当接面が前面板７２によって構成される。このように、仕切体７０の前面板７２がガスケット３０の当接面を構成した状態（即ち、仕切体７０の前面が前方を向いている状態）を回動状態と称する。
【００２１】
上記ガスケット３０は、第一扉２及び第二扉３と断熱箱体１８間をシールするためのものである。実施例のガスケット３０は、磁石内蔵のマグネットガスケットであり、内面材５の取付溝６４に係合される部分は、鏃状の鏃部３０Ａとされ、この鏃部３０Ａを取付溝６４に挿入係合することにより取り付けられている。
【００２２】
また、前記前面板７２の内側の仕切体７０内には前面板７２を加熱するための結露防止ヒータ８０が設けられている。この結露防止ヒータ８０は、仕切体７０の前面を構成する前面板７２の表面への結露を防止するための加熱手段であり、前面板７２の裏面に交熱的に貼り付けられている。
【００２３】
また、本発明ではこの結露防止ヒータ８０への通電は制御手段により制御される。この制御手段は、仕切体７０が前記回動状態であるときに結露防止ヒータ８０に通電し、初期状態にあるときには非通電とする。本実施例において、制御手段は結露防止ヒータ８０と電源８５間に介設されたリードスイッチ８２から構成されている（図５）。このリードスイッチ８２は、磁力により接点を開閉するものであり、仕切体７０内の後部に設けられる。また、当該仕切体７０が初期状態にあるときにリードスイッチ８２に近接する位置の保持部材７１内には磁石９０が埋設されている。
【００２４】
この場合、リードスイッチ８０は仕切体７０が初期状態にあるとき、隣接する保持部材７１内の磁石９０の磁力により接点を開放し、仕切体７０が回動状態となって磁石９０から離間しているときは接点を閉じる。
【００２５】
次に、図６を用いて本実施例の結露防止ヒータ８０の通電制御について説明する。先ず、第一扉２及び第二扉３が閉じられている状態では、仕切体７０は回動状態にある。この状態では、仕切体７０は貯蔵室２０内にあるため、仕切体７０は貯蔵室２０内の冷気によって冷却され、鋼板製の前面板７２の温度も低下する。そして、両扉２、３の非枢支側に位置するガスケット３０、３０が当接した位置の間の部分の前面板７２は外気に晒されているため、そのままではこの部分に外気中の水分が結露となって凝結することになる。
【００２６】
他方、仕切体７０が回動状態にあるときは、リードスイッチ８０は磁石９０から離間するので、その接点は閉じられる。これにより、結露防止ヒータ８０は通電されて発熱し（結露防止ヒータＯＮ）、仕切体７０の前面を構成する前面板７２が結露防止ヒータ８０によって加熱されるので、熱伝導で前面板７２の表面も加熱され、それによって前面板７２の表面（仕切体７０の前面）への結露は防止されることになる。
【００２７】
次に、第一扉２を開くと、案内部材と案内溝７３Ａとの係合によって仕切体７０は案内され、前面板７２が他方の第二扉３方向に向くように時計回りに回動されて、第一扉２の内面に沿った初期状態となる（図３及び図４の破線で示す状態）。このとき、リードスイッチ８０は保持部材７１内の磁石９０に近接するため、磁石９０の磁力によってリードスイッチ８０の接点は開放され、結露防止ヒータ８０は非通電となる（結露防止ヒータＯＦＦ）。
【００２８】
ここで、この初期状態では第一扉２の非枢支側にある仕切体７０は、第一扉２の開放に伴って貯蔵室２０外に出るので、貯蔵室２０内の冷気による冷却作用は受けなくなり、前面板７２表面への結露の発生も無くなる。従って、この初期状態にあるときに結露防止ヒータ８０を非通電としても問題は無く、逆に結露防止ヒータ８０への通電を絶つことで、常時通電の場合に比して当該結露防止ヒータ８０における電力消費量を削減することができるようになる。
【００２９】
そして、第一扉２を再度閉じていくと、前述したように案内溝７３Ａ内に前記案内部材が進入して上記とは逆方向に案内され、反時計回りに回動されて、前面板７２が開口２２において前方に指向した回動状態となる（図３及び図４の実線で示す状態）。これにより、リードスイッチ８０が磁石９０から離間してその接点が閉じられるので、結露防止ヒータ８０には再度通電がなされるようになり、前面板７２が加熱されてその表面への結露が防止されるようになる。
【００３０】
このように、仕切体７０が回動状態であるときに結露防止ヒータ８０に通電し、初期状態にあるときには非通電とするので、結露防止ヒータ８０による加熱が必要な仕切体７０が貯蔵室２０内にある回動状態であるときのみ、結露防止ヒータ８０に通電し、結露防止ヒータ８０による加熱が不要な初期状態では、結露防止ヒータ８０を非通電とすることができる。これにより、仕切体７０の前面（前面板７２の表面）への結露を防止しながら、消費電力の削減を図ることができるようになる。
【００３１】
特に、実施例では制御手段を、結露防止ヒータ８０と電源８５間に介設されたリードスイッチ８２により構成し、仕切体７０が初期状態にあるときにリードスイッチ８２の接点が開放し、回動状態にあるときに接点が閉じるように構成しているので、簡単な構成で結露防止ヒータ８０の通電を確実に制御することができるようになり、コストの削減に加えて、故障率の低減による冷却貯蔵庫Ｒの信頼性の向上も図ることができるようになる。
【００３２】
尚、本実施例では結露防止ヒータ８０の通電を制御する制御手段をリードスイッチ８５として説明したが、本発明において制御手段は、結露防止ヒータ８０の通電を制御可能なものであれば良く、実施例のリードスイッチに限定されるものではない。例えば、制御手段として仕切体７０が初期状態となったときに、押して接点を開放する機械式の押鉤式スイッチ等を採用しても差し支えない。
【図面の簡単な説明】
【００３３】
【図１】本発明を適用した一実施例の冷却貯蔵庫の斜視図である。
【図２】図１の冷却貯蔵庫の平断面図である。
【図３】第一扉の部分拡大平断面図である（仕切体は平面で図示）。
【図４】第一扉の部分拡大平断面図である（仕切体も平断面で図示）。
【図５】図４に示したリードスイッチの電気回路図である。
【図６】本実施例の冷却貯蔵庫の制御動作を示すタイミングチャートである。
【符号の説明】
【００３４】
Ｒ  冷却貯蔵庫
２  第一扉
３  第二扉
１８  断熱箱体
２０  貯蔵室
２２  前面開口
２４  冷却装置
３０  ガスケット
７０  仕切体
７１  保持部材
７２  前面板
７３  キャップ
７３Ａ  案内溝
８０  結露防止ヒータ
８２  リードスイッチ（制御手段）
８５  電源
９０  磁石
【図１】
2010078176.tif 000003
【図２】
2010078176.tif 000004
【図３】
2010078176.tif 000005
【図４】
2010078176.tif 000006
【図５】
2010078176.tif 000007
【図６】
2010078176.tif 000008